【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
透明なフィルム基材の一方の面に、少なくとも、微細凹凸形状を有する樹脂層を介して、透明導電性薄膜が積層されている透明導電性フィルムであって、
透明導電性薄膜の表面は、
中心線平均粗さ（Ｒａ）が０．１１〜０．１８μｍ、
最大高さ（Ｒｙ）が０．９〜１．６μｍ、かつ、
局部山頂の平均間隔（Ｓ）が０．０５〜０．１１ｍｍ、
であることを特徴とする透明導電性フィルム。
【請求項２】
透明導電性薄膜の表面は、十点平均表面粗さ（Ｒｚ）が、０．６〜１μｍであることを特徴とする請求項１記載の透明導電性フィルム。
【請求項３】
微細凹凸形状を有する樹脂層は、微粒子を含有しており、当該微粒子によって微細凹凸形状を形成していることを特徴とする請求項１または２記載の透明導電性フィルム。
【請求項４】
微粒子は、平均粒径２±０．４μｍであり、かつ標準偏差が平均粒径の２０％以内の微粒子と、平均粒径３±０．４μｍであり、かつ標準偏差が平均粒径の２０％以内の微粒子との混合物であることを特徴とする請求項３に記載の透明導電性フィルム。
【請求項５】
樹脂層の塗工厚みが、０．５〜２μｍであることを特徴とする請求項１〜４のいずれかに記載の透明導電性フィルム。
【請求項６】
樹脂層と透明導電性薄膜の間に、透明誘電体薄膜を有することを特徴とする請求項１〜５のいずれかに記載の透明導電性フィルム。
【請求項７】
透明なフィルム基材の透明導電性薄膜を設けていない側の面に、透明な粘着剤層を介して透明基体が貼り合わされていることを特徴とする請求項１〜６のいずれかに記載の透明導電性フィルム。
【請求項８】
透明基体は、少なくとも２枚の透明な基体フィルムを透明な粘着剤層を介して積層した積層透明基体であることを特徴とする請求項７記載の透明導電性フィルム。
【請求項９】
請求項１〜８のいずれかに記載の透明導電性フィルムを用いたタッチパネル用電極板。
【請求項１０】
透明導電性薄膜を有するタッチ側のタッチパネル用電極板と透明導電性薄膜を有するディスプレイ側のタッチパネル用電極板を、透明導電性薄膜同士が対向するようにスペーサを介して対向配置してなるタッチパネルにおいて、タッチパネル用電極板の少なくとも一方が、請求項９記載のタッチパネル用電極板からなることを特徴とするタッチパネル。
【請求項１１】
請求項９記載のタッチパネル用電極板は、少なくともディスプレイ側のタッチパネル用電極板に用いられることを特徴とする請求項１０記載のタッチパネル。
【手続補正２】
【補正対象書類名】明細書
【補正対象項目名】０００７
【補正方法】変更
【補正の内容】
【０００７】
また、透明導電性フィルムは、薄膜表面の光線反射率が大きいため、透明性に劣る問題がある。しかし、前記のように透明導電層薄膜の凹凸形状を制御したとしても、ギラツキ、写像性等の表示特性についても十分に満足しているとはいえなかった。
【特許文献１】特開平１０−３２３９３１号公報
【特許文献２】特開平１１−２５０７６４号公報
【手続補正３】
【補正対象書類名】明細書
【補正対象項目名】００１７
【補正方法】変更
【補正の内容】
【００１７】
前記透明導電性フィルムにおいて、透明なフィルム基材の透明導電性薄膜を設けていない側の面に、透明な粘着剤層を介して透明基体が貼り合わすことができる。透明基体は、少なくとも２枚の透明な基体フィルムを透明な粘着剤層を介して積層した積層透明基体を用いることができる。
【手続補正４】
【補正対象書類名】明細書
【補正対象項目名】００３６
【補正方法】変更
【補正の内容】
【００３６】
微粒子の平均粒子径は、前記Ｒａ、Ｒｙ、Ｓ等の微細凹凸形状の表面を形成できるものであれば特に制限されず、通常、１〜１０μｍ程度、好ましくは１〜４μｍ程度の範囲を有するものを用いることができる。また、微粒子は、異なる粒子径のものを組み合わせて用いることができる。特に、標準偏差が平均粒径の２０％以内の単分散の微粒子を組み合わせて用いるのが好ましい。本発明では、特に、微粒子として、平均粒径２±０．４μｍであり、かつ標準偏差が平均粒径の２０％以内の微粒子と、平均粒径３±０．４μｍであり、かつ標準偏差が平均粒径の２０％以内の微粒子との混合物を組み合わせて用いるのが好ましい。前記平均粒径２±０．４μｍの微粒子は、平均粒径２±０．３μｍ、さらには２±０．２μｍ、さらには２±０．１μｍであるのが好ましい。前記平均粒径３±０．４μｍの微粒子は、平均粒径３±０．３μｍ、さらには３±０．２μｍ、さらには３±０．１μｍであるのが好ましい。前記標準偏差は、いずれの場合にも、平均粒径の１５％以内、さらには平均粒径の１０％以内にあるのが好ましい。また、前記平均粒径２±０．４μｍの微粒子と、平均粒径３±０．４μｍの微粒子との混合物の割合（重量比）は、通常、前者：後者＝５０：５０〜９９：１、さらには、８０：２０〜９９：１とするのが好ましい。
【手続補正５】
【補正対象書類名】明細書
【補正対象項目名】００４６
【補正方法】変更
【補正の内容】
【００４６】
透明誘電体薄膜は、上記の材料を用いて、真空蒸着法、スパッタリング法、イオンプレーティング法、塗工法などにより形成できる。透明誘電体薄膜の各層の厚さは、適宜設定できるが、通常、１０〜２００ｎｍ程度であり、好ましくは１５〜１００ｎｍ、好ましくは２０〜６０ｎｍであるのがよい。
【手続補正６】
【補正対象書類名】明細書
【補正対象項目名】００４７
【補正方法】変更
【補正の内容】
【００４７】
前記透明誘電体薄膜５を２層用いる場合には、樹脂層の側から、下記の第一透明誘電体薄膜および第二透明誘電体薄膜を、この順に形成することが好ましい。すなわち、当該第一透明誘電体薄膜は、真空蒸着法、スパッタリング法またはイオンプレーティング法により形成し、かつ第一透明誘電体薄膜は、酸化インジウム１００重量部に対して、酸化錫を０〜２０重量部、酸化セリウムを１０〜４０重量部含む複合酸化物からなり、第一透明誘電体薄膜の屈折率をｎ１、第二透明誘電体薄膜の屈折率をｎ２、透明導電性薄膜の屈折率をｎ３としたとき、ｎ２＜ｎ３≦ｎ１の関係を満たすものが好ましい。
【手続補正７】
【補正対象書類名】明細書
【補正対象項目名】００４８
【補正方法】変更
【補正の内容】
【００４８】
第一透明誘電体薄膜は、酸化インジウムに対して、特定量の酸化錫、酸化セリウムを含む複合酸化物により形成している。当該複合酸化物は、透明導電性材料である、酸化インジウムと酸化錫の複合体に、さらに酸化セリウムを添加したものであり、これにより、透明導電性薄膜の屈折率以上の高屈折率が実現できる。その結果、第一透明誘電体薄膜と第二透明誘電体薄膜との屈折率の差が大きくなり、光学的な調整を容易に行うことができ、透明性等の光学特性が良好な透明導電性フィルムが得られる。
【手続補正８】
【補正対象書類名】明細書
【補正対象項目名】００５３
【補正方法】変更
【補正の内容】
【００５３】
前記第一透明誘電体薄膜の厚さは、特に制限されないが、１０〜２００ｎｍであるのが好ましい。さらには１５〜６０ｎｍであるのが好ましい。１０ｎｍ未満では連続被膜とするのが困難である。一方、２００ｎｍ以下とするのが、光学的な調整の点から好ましい。
【手続補正９】
【補正対象書類名】明細書
【補正対象項目名】００７０
【補正方法】変更
【補正の内容】
【００７０】
タッチパネルは、透明導電性薄膜を有するタッチ側のタッチパネル用電極板と透明導電性薄膜を有するディスプレイ側のタッチパネル用電極板を、透明導電性薄膜同士が対向するようにスペーサを介して対向配置してなり、本発明の透明導電性フィルムからなるタッチパネル用電極板は、タッチ側、ディスプレイ側のいずれのタッチパネル用電極板にも用いることができる。特に、本発明の透明導電性フィルムからなるタッチパネル用電極板は、ニュートリングの発生を抑えること、耐久性、表示特性を満足させること、タッチパネルの薄型化の点から、ディスプレイ側のタッチパネル用電極板として用いることが好ましい。
【手続補正１０】
【補正対象書類名】明細書
【補正対象項目名】００７３
【補正方法】変更
【補正の内容】
【００７３】
なお、上記の図５において、パネル板Ｐ２は、プラスチックフィルムやガラス板などからなる透明基体５に透明導電性薄膜３ｂを設けたものであるが、上記のパネル板Ｐ１と同様の図１に示す透明導電性フィルムを使用してもよい。
【手続補正１１】
【補正対象書類名】明細書
【補正対象項目名】００９８
【補正方法】変更
【補正の内容】
【００９８】
なお、リニアリティー測定の概略は、図６に示すとおりである。タッチパネルを用いる画像表示装置では、ペンで押さえられることにより上部パネルと下部パネルの接触部分の抵抗値から画面上に表示されるペンの位置が決定されている。上部および下部パネル表面の出力電圧分布が理論線（理想線）のようになっているものとして抵抗値は決められる。すると、電圧値が、図６の実測値のように理論線からずれると、実際のペン位置と抵抗値によって決まる画面上のペン位置がうまく同調しなくなる。理論線からのずれがリニアリティーであり、その値が大きいほど、実際のペン位置と画面上のペンの位置のずれが大きくなる。
【手続補正１２】
【補正対象書類名】明細書
【補正対象項目名】０１０３
【補正方法】変更
【補正の内容】
【０１０３】
１ 透明なフィルム基材
２ 微細凹凸形状を有する樹脂層
３ 透明導電性薄膜
４ 微粒子
５ 透明誘電体薄膜
６ 透明基体
７ 粘着剤層
Ｐ１ パネル板
Ｐ２ パネル板
ｓ スペーサ